(57)【要約】 【課題】  本発明は、屋根面の軒先部からやや離間した位置に雪止め部材を設置することによって、屋根面の最上位から軒先部に向かって滑落する積雪によって雨樋等が破損したり、人体に衝撃を与えることのないようにする設備を提供することを目的とするものである。 【解決手段】  本発明は、適当な広面積の設置台１上に設ける雪止め部材において、軒先部に臨設する位置に、全体が円筒形状に成る線部材６の内部に側面Ｙ形状に成る融雪仕切材７を間隔をおいて設置し、前記円筒形状に成る線部材の上側部に前記設置台上に基端部を固定した格子状の被い雪止め部材８を設置して成る屋根用雪止め具であり装置である。またさらに、前記被い雪止め部材に直立する多数の支杆から成る副雪止め部材を設置して成る屋根用雪止め具であり装置である。【選択図】    図１
2020200733.tif 000002
【特許請求の範囲】
【請求項１】
適当な広面積の設置台上に設ける雪止め部材において、軒先部に臨設する位置に、全体が円筒形状に成る線部材の内部に、側面Ｙ形状に成る融雪仕切材を間隔をおいて設置し、前記円筒形状に成る線部材の上側部に、前記設置台上に基端部を固定した格子状の被い雪止め部材を設置して成ることを特徴とする屋根用雪止め具。
【請求項２】
適当な広面積の設置台上に設ける雪止め部材において、軒先部に臨設する位置に、全体が円筒形状に成る線部材の内部に、側面Ｙ形状に成る融雪仕切材を間隔をおいて設置し、前記円筒形状に成る線部材の上側部に、前記設置台上に基端部を固定した格子状の被い雪止め部材を設置して成ることを特徴とする屋根用雪止め装置。
【請求項３】
適当な広面積の設置台上に設ける雪止め部材において、軒先部に臨設する位置に、全体が円筒形状に成る線部材の内部に、側面Ｙ形状に成る融雪仕切材を間隔をおいて設置し、前記円筒形状に成る線部材の上側部に、前記設置台上に基端部を固定した格子状の被い雪止め部材を架設し、さらに前記被い雪止め部材に直立する多数の支杆から成る副雪止め部材を設置して成ることを特徴とする屋根用雪止め具。
【請求項４】
適当な広面積の設置台上に設ける雪止め部材において、軒先部に臨設する位置に、全体が円筒形状に成る線部材の内部に、側面Ｙ形状に成る融雪仕切材を間隔をおいて設置し、前記円筒形状に成る線部材の上側部に、前記設置台上に基端部を固定した格子状の被い雪止め部材を架設し、さらに前記被い雪止め部材に直立する多数の支杆から成る副雪止め部材を設置して成ることを特徴とする屋根用雪止め装置。
【発明の詳細な説明】
【技術分野】
【０００１】
本発明は、屋根面における軒先部に近接して設置する雪止め具及び装置に関するものである。
【背景技術】
【０００２】
本発明の出願人にあっては、すでに次の公開特許公報に掲載された技術を創作しているが、その技術内容がやや複雑であるために、実施できない状況にあるとところ、これを本発明は改良して実施化しようとするものである。
【先行技術文献】
【特許文献】
【０００３】
【特許文献１】特開２０００−２７４０１９号公開特許公報
【特許文献２】特開２００６−２０７２３４号公開特許公報
【発明の概要】
【発明が解決しようとする課題】
【０００４】
本発明は、屋根面の軒先部からやや離間した位置に雪止め部材を設置することによって、屋根面の最上位から軒先部に向かって滑落する積雪によって雨樋等が破損したり、人体に衝撃を与えることのないようにする設備を提供することを目的とするものである。
【課題を解決するための手段】
【０００５】
本発明に係る雪止め装置全体の構成は、適当な広面積の設置台上に設ける雪止め部材において、軒先部に臨設する位置に、全体が円筒形状に成る線部材の内部に側面Ｙ形状に成る融雪仕切材を間隔をおいて設置し、前記円筒形状に成る線部材の上側部に前記設置台上に基端部を固定した格子状の被い雪止め部材を設置して成る屋根用雪止め具であり装置である。
【０００６】
また、本発明に係る雪止め装置全体の構成は、適当な広面積の設置台上に設ける雪止め部材において、軒先部に臨設する位置に、全体が円筒形状に成る線部材の内部に側面Ｙ形状に成る融雪仕切材を間隔をおいて設置し、前記円筒形状に成る線部材の上側部に、前記設置台上に基端部を固定した格子状の被い雪止め部材を架設し、さらに前記被い雪止め部材に直立する多数の支杆から成る副雪止め部材を設置して成る屋根用雪止め具であり装置である。
【発明の効果】
【０００７】
このように構成した雪止め装置の屋根面上における機能を説明すると、屋根の軒先部近くに設置した円筒形状の線部材と側面Ｙ形状に成る融雪仕切部との全体組織によって、屋根面からの滑落雪を細断することができるようになり、線部材内部に残った雪は左右上下から吹き上がる風によって溶解が促進されるようになる。
【０００８】
また、前記設置台上に基端部を固定した格子状雪止め部材を、屋根の軒先部に隣接した円筒形状の線部材の上側部に設置したことにより、積雪が氷柱になることなく溶解が促進されるようになる。
【０００９】
また、前記円筒形状に成る線部材の設置によって、軒下部上の屋根面部分には十分な空間部が形成されていることから、落雪や融雪が軒下部の雨樋に直接落下することはなく、雨樋の破損を未然に防止することができるようになる。
【００１０】
また、軒下部上方に設置する円筒形状の線部材は全体として、滑降による圧雪や荷重に対して十分耐久力を有していることになる。
【００１１】
さらに、この円筒形状の線部材から成る雪止め部材に至るまでの直前には、やはり雪止め部材上に直立する多数の支杆と傾斜杆から架設して成る副雪止め材の作用によって、積雪の滑降を阻止するとともに融雪を確実に行うことができるようになるのである。
【００１２】
また、軒下部上方に設置する線部材は横円筒形状に成ることから、住宅屋根が和風であろうと洋風であろうと、いずれの住宅においても適合できる光景を創出することができるようになる。
【図面の簡単な説明】
【００１３】
【図１】一実施例全体の背面斜視図
【図２】図１の全体の正面図
【図３】図１の全体の平面図
【図４】図１の全体の底面図
【図５】図１の全体の左側面図
【図６】他実施例の全体の背面斜視図
【図７】図６の全体の左側面図
【発明を実施するための形態】
【００１４】
本発明の構成形態にあっては、屋根面の軒先部に近接する位置までの間は横円筒形状の線部材を設置しているから、積雪の滑降を軒先部手前において確実に阻止する機能を発揮することができることになる。
【００１５】
また、比較的大屋根上に設置する本発明の装置にあっては、降雪が軒先部に至るまでの前段階において、副雪止め部材の存在によって積雪の滑降を阻止するとともに消雪効果を確実に発揮することができるのである。
【実施例１】
【００１６】
１は全体が長方形に成る設置台で、この設置台は全体の左右中枠板２，２，２及び左右中間中板２’，２’には複数の架板３，３を架設して成り、その後端部の左右両端部及び中心部には屋根軒先部に掛け止める掛止杆４・・を設ける。
【００１７】
５は前記設置台１の一上側部寄りに設けた雪止め部材で、この雪止め部材は全体が円筒形状に成る線部材６の内部に、側面Ｙ形状に成る融雪仕切材７・・を間隔をおいて設置しているものである。
【００１８】
８は前記設置台１上に基端部を固定して前記円筒形状線部材６の上側部に被套するように設置して成る格子状の被い雪止め部材である。
【実施例２】
【００１９】
第２実施例にあっては、副雪止め部材１０による被い雪止め部材８への重量圧を考慮して、被い雪止め部材の水平先端部８’と設置台１との間に多数の立杆９・・を立設する。
【００２０】
１０は前記設置台１上における被い雪止め部材８の前側部において、この被い雪止め部材の上方部間に後記多数の支杆１１・・を介して架設する副雪止め部材で、この副雪止め部材は屋根面から滑降する積雪を最初に阻止する機能を果たすものである。この副雪止め部材１０の大きさは任意であるが、１０’はこの副雪止め部材の水平になる先端部分を示す。
【００２１】
１１・・は前記副雪止め部材１０の上側適所に立設する支杆で、この多数の支杆によって前記副雪止め部材１０を、前記円筒形状に成る線部材６を有する雪止め部材５の上方の被い雪止め部材８上において支持している。
【符号の説明】
【００２２】
１                          設置台
２，２，２                  左右中枠板
２’，２’                  中間中板
３，３                      架板
４・・                      掛止杆
５                          雪止め部材
６                          円筒形状の線部材
７                          融雪仕切材
８                          被い雪止め部材
８’                        被い雪止め部材の先端部
９・・                      立杆
１０                        副雪止め部材
１０’                      副雪止め部材の水平先端部
１１・・                    支杆
【図１】
2020200733.tif 000003
【図２】
2020200733.tif 000004
【図３】
2020200733.tif 000005
【図４】
2020200733.tif 000006
【図５】
2020200733.tif 000007
【図６】
2020200733.tif 000008
【図７】
2020200733.tif 000009